(57)【要約】【課題】  外壁パネル２の取外し、交換が容易であるとともに、建物の様々な部分の外壁パネル２を建物躯体に支持させることができる外壁パネル支持具１を提供する。【解決手段】  外壁パネル支持構造１は、建物躯体を構成する軸組９に取り付いて外壁パネル２の荷重を受けるパネル受け具６と、外壁パネル２の基材３の屋内面３ａに固定されるパネル固定枠４ａに形成され、パネル受け具６に嵌着する突片５ａと、を備える。【選択図】図５
2010275764.tif 000002
【特許請求の範囲】
【請求項１】
建物躯体に取り付いて外壁パネルの荷重を受けるパネル受け具と、前記外壁パネルの屋内面に固定される枠体に形成され、前記パネル受け具に嵌着する固定部と、を備えることを特徴とする外壁パネル支持構造。
【請求項２】
前記固定部は、前記パネル受け具に嵌合する突片であることを特徴とする請求項１に記載の外壁パネル支持構造。
【請求項３】
前記固定部は、前記パネル受け具を挿入するスリット溝であることを特徴とする請求項１に記載の外壁パネル支持構造。
【請求項４】
前記固定部が形成される前記枠体は、前記外壁パネルの屋内面の両側端にそれぞれ上下方向に延びて設置され、建物躯体に支持された外壁パネル固定具に係止されるパネル固定枠であることを特徴とする請求項１から請求項３のいずれかに記載の外壁パネル支持構造。
【請求項５】
前記固定部が形成される前記枠体は、前記外壁パネルの屋内面で水平方向に延びる水平枠であることを特徴とする請求項１から請求項３のいずれかに記載の外壁パネル支持構造。
【請求項６】
前記パネル受け具は、前記固定部に嵌着されて外壁パネルの荷重を受け止める受け部と、建物躯体を構成する上方に開口したＣ型鋼に挿入されて当該Ｃ型鋼の底部に載置される載置部とを有することを特徴とする請求項１から請求項５のいずれかに記載の外壁パネル支持構造。
【請求項７】
前記パネル受け具は、前記固定部に嵌着されて外壁パネルの荷重を受け止める受け部と、建物躯体を構成する下方に開口したＣ型鋼のフランジを挟持する挟持部と、を有することを特徴とする請求項１から請求項５のいずれかに記載の外壁パネル支持構造。
【発明の詳細な説明】
【技術分野】
【０００１】
この発明は、住宅等の建物において建物躯体に固定されて、外壁パネルの荷重を受ける外壁パネル支持構造に関し、特に、同一種類のパネル受け具を用いて適切な高さで外壁パネルの荷重を受けることができる外壁パネル支持構造に関する。
【背景技術】
【０００２】
従来より、鉄骨系の住宅等の建物において、建物躯体を構成する軸組に外壁パネルを固定するために溶接や接着などの様々な方法が用いられてきた。特に近年においては、外壁パネルの取り付けをより容易なものとするとともに、外壁パネルを取り外してメンテナンスすることができる種々の外壁パネル支持構造が提案されている。
【０００３】
例えば、図９に示すように、外壁パネル１００を軸組１０１に固定するために、垂直部１０２と水平部１０３とを有するＬ字状のパネル支持具１０４の垂直部１０２を軸組１０１を構成する溝型鋼に溶接Ａによって固定し、水平部１０３が外壁パネル１００の下端を下方から支持するパネル支持具１０４を用いた外壁パネル支持構造が開示されている（例えば特許文献１第２図参照）。このようにすると、外壁パネル１００の重さはパネル支持具１０４で受けることができる。
【先行技術文献】
【特許文献】
【０００４】
【特許文献１】特開２００１−１１５５７９号公報
【発明の概要】
【発明が解決しようとする課題】
【０００５】
しかし、上述のような外壁パネル支持構造においては、外壁パネルは建物のどの部分に固定するものであるかによって軸組との位置関係が異なるため、外壁パネルの下端と水平に架設された軸組とが上下方向に大きく離反している場合においては、支持具の垂直部を長く形成する必要があるなど、建物の部分によって複数種類の支持具が必要となる。
【０００６】
そこで、本発明は、外壁パネルの取外し、交換が容易であるとともに、建物の様々な部分の外壁パネルを建物躯体に支持させることができる外壁パネル支持具を提供することを目的とする。
【課題を解決するための手段】
【０００７】
請求項１に記載の外壁パネル支持構造は、建物躯体に取り付いて外壁パネルの荷重を受けるパネル受け具と、前記外壁パネルの屋内面に固定される枠体に形成され、前記パネル受け具に嵌着する固定部と、を備えることを特徴としている。
【０００８】
請求項２に記載の外壁パネル支持構造は、前記固定部は、前記パネル受け具に嵌合する突片であることを特徴としている。
【０００９】
請求項３に記載の外壁パネル支持構造は、前記固定部は、前記パネル受け具を挿入するスリット溝であることを特徴としている。
【００１０】
請求項４に記載の外壁パネル支持構造は、前記固定部が形成される前記枠体は、前記外壁パネルの屋内面の両側端にそれぞれ上下方向に延びて設置され、建物躯体に支持された外壁パネル固定具に係止されるパネル固定枠であることを特徴としている。
【００１１】
請求項５に記載の外壁パネル支持構造は、前記固定部が形成される前記枠体は、前記外壁パネルの屋内面で水平方向に延びる水平枠であることを特徴としている。
【００１２】
請求項６に記載の外壁パネル支持構造は、前記パネル受け具は、前記固定部に嵌着されて外壁パネルの荷重を受け止める受け部と、建物躯体を構成する上方に開口したＣ型鋼に挿入されて当該Ｃ型鋼の底部に載置される載置部とを有することを特徴としている。
【００１３】
請求項７に記載の外壁パネル支持構造は、前記パネル受け具は、前記固定部に嵌着されて外壁パネルの荷重を受け止める受け部と、建物躯体を構成する下方に開口したＣ型鋼のフランジを挟持する挟持部と、を有することを特徴としている。
【発明の効果】
【００１４】
請求項１に記載の外壁パネル支持構造によると、外壁パネルの屋内面に固定される枠体に固定部が形成され、建物躯体に取り付いたパネル受け具と嵌着するので、外壁パネルの荷重は固定部を介してパネル受け具が受けることができる。枠体は、外壁パネルの屋内面の任意の位置に設置することができるので、固定部を適切な位置に形成することができ、外壁パネルの下端位置が水平に架設された軸組から上下方向に大きく離反しているような場合でも外壁パネルを支持することができる。
【００１５】
しかも、外壁パネルには従来より、例えばコンクリートなどで形成された外壁パネルの基材に金属などで形成された枠体が固定されて、建物躯体に固定された外壁パネル固定具に係止されるものが多く採用されており、通常外壁パネルの基材よりも枠体の方が強固である。したがって、強固な枠体に固定部を形成することで、パネル受け具が少ない接点で確実に外壁パネルの荷重を支持することができる。
【００１６】
請求項２に記載の外壁パネル支持構造によると、固定部は、パネル受け具に嵌合する突片であるので、この突片をパネル受け具に嵌合することにより、極めて容易に建物躯体に外壁パネルを支持させることができるとともに、この突片をパネル受け具から引きはずすことで、極めて容易に建物躯体から外壁パネルを取り外すことができる。
【００１７】
請求項３に記載の外壁パネル支持構造によると、固定部は、パネル受け具を挿入するスリット溝であるので、このスリット溝にパネル受け具を挿入することにより、極めて容易に建物躯体に外壁パネルを支持させることができるとともに、パネル受け具からスリット溝を引きはずすことで、極めて容易に建物躯体から外壁パネルを取り外すことができる。
【００１８】
請求項４に記載の外壁パネル支持構造によると、従来から外壁パネルの固定に用いているパネル固定枠を枠体として固定部を形成するので、新たに別の金具などを外壁パネルに固定する必要がなく、コストを削減することができる。また、パネル固定枠は上下方向に延びて設置されているので、固定部を、上下方向に適切な高さに形成することができる。
【００１９】
請求項５に記載の外壁パネル支持構造によると、枠体は外壁パネルの屋内面で水平方向に延びて設置される水平枠であるので、この水平枠に形成される固定部を、水平方向に適切な位置に形成することができる。
【００２０】
請求項６に記載の外壁パネル支持構造によると、パネル受け具は、固定部に嵌着されて外壁パネルの荷重を受け止める受け部と、建物躯体のＣ型鋼の底部に載置される載置部とを有するので、受け部が受け止めた外壁パネルの荷重を載置部を介してＣ型鋼に支持させることができる。載置部は、Ｃ型鋼の底部に載置されるだけであるので極めて簡単に取付及び取外しすることができる。
【００２１】
請求項７に記載の外壁パネル支持構造によると、パネル受け具は、固定部に嵌着されて外壁パネルの荷重を受け止める受け部と、建物躯体を構成する下方に開口したＣ型鋼のフランジを挟持する挟持部と、を有するので、受け部が受け止めた外壁パネルの荷重を挟持部を介してＣ型鋼に支持させることができる。挟持部は下方に開口したＣ型鋼のフランジを挟持することができるので、例えば軸組みの上側の枠にパネル受け金具を吊り下げるように設置して外壁パネルの荷重を受けることができる。
【図面の簡単な説明】
【００２２】
【図１】第１の実施形態に係る外壁パネル支持構造のパネル固定枠及びパネル受け具の構成を説明する斜視図。
【図２】第１の実施形態の外壁パネルを屋内側から見た正面図。
【図３】第１の実施形態に係る外壁パネル支持構造を上方から見た断面図。
【図４】第１の実施形態に係る外壁パネル支持構造を建物躯体に固定する前の状態を説明する断面図。
【図５】第１の実施形態に係る外壁パネル支持構造を水平方向から見た断面図。
【図６】第２の実施形態に係る外壁パネル支持構造の水平枠及びパネル受け具の構成を説明する斜視図。
【図７】第２の実施形態に係る外壁パネル支持構造の外壁パネルを建物躯体に固定する前の状態を説明する断面図。
【図８】第２の実施形態に係る外壁パネル支持構造を水平方向から見た断面図。
【図９】従来の外壁パネル支持構造を示す図。
【発明を実施するための形態】
【００２３】
以下、この発明における外壁パネル支持構造１の第１の実施形態について、図１から図５を参照しつつ説明する。この実施形態に係る外壁パネル支持構造１は、図１に示すように、外壁パネル２の基材３の屋内面３ａの両側端にそれぞれ上下方向に延びて設置される枠体４としてのパネル固定枠４ａに形成される固定部５としての突片５ａと、この突片５ａに嵌着されて外壁パネル２の荷重を受け止めるパネル受け具６と、により構成される。
【００２４】
外壁パネル２は、図１から図３に示すように、サイディング等の長方形の基材３と、この基材３の屋内面３ａの両側端に枠固定用螺子７等で固定される上下に長いパネル固定枠４ａと、からなる。このパネル固定枠４ａは、図３に示すように、断面クランク状に形成されており、外壁パネル２に当接して枠固定用螺子７で固定されるパネル側固定片４ｂが外壁パネル２の中央方向に延びるとともに、外壁パネル２からやや離れるように折曲された係止片４ｃが外壁パネル２の側縁方向に延びて形成されている。この外壁パネル２を固定する際には、基端部８ａが建物躯体に固定された外壁パネル固定具８の先端部８ｂを係止片４ｃに引っ掛けて、外壁パネル固定具８と建物躯体を構成する軸組９とでこの係止片４ｃを挟んで固定する。
【００２５】
パネル固定枠４ａのパネル側固定片４ｂには、高さ方向の予め設計された位置に固定部５としての突片５ａが設けられている。この突片５ａは、図１に示すように、パネル側固定片４ｂの一部が四角形に切り込まれて屋内方向に引き倒されるように折曲されることにより、屋内方向に突出して形成されている。なお、この突片５ａの形状はこれに限定されるものではなく、例えばＬ字状に形成された金属片の一方の面を、パネル固定枠４ａのパネル側固定片４ｂに溶接又は螺子固定等により固定し、他方の面が外壁パネル２の屋内方向に突出するように形成しても良い。
【００２６】
パネル受け具６は、図１及び図５に示すように、突片５ａを挟み込むように屋外方向に突き出す３つの挟着片１０ａ、及びこれらの挟着片１０ａを連結する基部１０ｂからなる受け部１０と、下端が軸組９のＣ型鋼に挿入され、基部１０ｂの中央を貫通するボルト１１ａ及びナット１１ｂからなる載置部１１と、を有する。
【００２７】
外壁パネル２を建物躯体を構成する軸組９に固定するときには、まず、図４に示すように、パネル固定枠４ａに設けられている突片５ａを挟着片１０ａで挟んで、外壁パネル２にパネル受け具６を固定する。そして、図５に示すように、パネル受け具６の載置部１１を軸組９の上方が開口するＣ型鋼９ａの内部に挿入して、Ｃ型鋼９ａの底面に載置する。その後、図３に示すように、パネル固定枠４ａの係止片４ｃを、建物躯体に固定された外壁パネル固定具８と建物躯体を構成する軸組９とで挟んで固定する。
【００２８】
このように、第１の実施形態の外壁パネル支持構造によると、パネル固定枠４ａに突片５ａが形成され、この突片５ａにパネル受け具６の挟着片１０ａが挟着するので、外壁パネル２の荷重をパネル受け具６が受けることができ、このパネル受け具６は、載置部１１により建物躯体を構成する軸組９のＣ型鋼９ａの底部に載置されるので、外壁パネル２の荷重を軸組９で支持することができる。
【００２９】
しかもこのパネル固定枠４ａは、外壁パネル２の基材３の両側縁に沿ってその屋内面３ａに上下方向に延びて固定されているので、予め設計された上下方向の適切な位置に突片５ａを形成することができ、例えば、外壁パネル２の下端位置が水平に架設された軸組９から上下方向に大きく離反しているような場合でも外壁パネル２を支持することができる。
【００３０】
外壁パネル２のパネル固定枠４ａはもともと外壁パネル２を建物躯体に固定するための金具であるので、外壁パネル２の基材３に比べて垂直方向の荷重に対して強固に構成されており、このような強固に構成されたパネル固定枠４ａに突片５ａを形成することで、パネル受け具６が少ない接点で確実に外壁パネル２の荷重を受けることができる。
【００３１】
次に、外壁パネル支持構造１の第２の実施形態について、図６から図８を参照しつつ説明する。なお、第１の実施形態と同様の構成にについては、同じ符号を付して説明を省略する。第２の実施形態に係る外壁パネル支持構造１は、図６に示すように、外壁パネル２の基材３の屋内面３ａに水平方向に延びて設置される水平枠４ｄに形成される固定部５としてのスリット溝５ｂと、このスリット溝５ｂに挿入されて外壁パネル２の荷重を受け止めるパネル受け具６と、により構成される。
【００３２】
水平枠４ｄは、図６に示すように、外壁パネル２の上縁に沿って外壁パネル２の基材３の屋内面３ａに固定されており、下部４ｅが外壁パネル２に当接して、図示しない螺子等により外壁パネル２の基材３に固定されるとともに、中間部４ｆが屋外側に屈曲して設けられ、さらに、上部４ｇが上方に屈曲して、外壁パネル２から距離を離して形成されている。そして、この水平枠４ｄの上部４ｇの所定位置にはスリット溝５ｂが貫通している。
【００３３】
パネル受け具６は、図６及び図８に示すように、スリット溝５ｂに挿入される大きさの中央挟着片１０ｃ、中央挟着片１０ｃの両側部にこの中央挟着片１０ｃよりもやや下がった位置に設けられる側部挟着片１０ｄ、及びこれら中央挟着片１０ｃ及び側部挟着片１０ｄを連結する基部１０ｂからなる受け部１０と、基部１０ｂの中央を貫通するボルト１２ａ、このボルト１２ａに螺合するナット１２ｂ、及びＣ型鋼９ｂのフランジ９ｃを挟持する２枚の挟持板１２ｃにより構成される挟持部１２と、を有する。
【００３４】
外壁パネル２を建物躯体を構成する軸組９に固定するときには、まず、図７に示すように、パネル受け具６を下方が開口したＣ型鋼９ｂの軸組９に固定する。具体的には、一方の挟持板１２ｃをＣ型鋼９ｂの内部に保持し、この他方の挟持板１２ｃをＣ型鋼９ｂの下側に保持した状態で両挟持板１２ｃをボルト１２ａで貫通し、さらにこのボルト１２ａに螺合するナット１２ｂで両側から挟持板１２ｃを締め付け、Ｃ型鋼９ｂのフランジ９ｃを両挟持板１２ｃで挟持する。ボルト１２ａの下端には、受け部１０が外嵌されて、ナット１２ｂによりボルト１２ａに固定されている。
【００３５】
そして、図８に示すように、外壁パネル２を移動させて、外壁パネル２の基材３に固定されている水平枠４ｄのスリット溝５ｂを、受け部１０の中央挟着片１０ｃに外嵌させる。このようにして、水平枠４ｄの中間部４ｆを中央挟着片１０ｃ及び側部挟着片１０ｄで挟んで固定する。
【００３６】
このように第２の実施形態の外壁パネル支持構造１によると、スリット溝５ｂにパネル受け具６の中央挟着片１０ｃを挿入することにより、極めて容易に建物躯体を構成する軸組９に外壁パネル２を支持させることができるとともに、パネル受け具６からスリット溝５ｂを引きはずすことで、極めて容易に軸組６から外壁パネル２を取り外すことができる。しかも、水平枠４ｄは外壁パネル２の基材３の屋内面３ａに水平方向に延びて設置されているので、この水平枠４ｄに形成されるスリット溝５ｂは、予め設計された水平方向に適切な位置に形成することができる。
【００３７】
そして、パネル受け具６は、スリット溝５ｂに嵌着されて外壁パネルの荷重を受け止める受け部１０と、建物躯体を構成する軸組９の下方に開口したＣ型鋼９ｂのフランジ９ｃを挟持して固定される挟持部１２と、を有するので、受け部１０が受け止めた外壁パネル２の荷重を挟持部１２を介してＣ型鋼９ｂに支持させることができる。挟持部１２は下方に開口したＣ型鋼９ｂのフランジ９ｃを挟持することができるので、軸組９の上側の枠にパネル受け金具６を吊り下げるように設置して外壁パネル２の荷重を受けることができる。
【００３８】
なお、本発明の実施の形態は上述の形態に限ることなく、本発明の思想の範囲を逸脱しない範囲で適宜変更することができることは云うまでもない。
【産業上の利用可能性】
【００３９】
本発明に係る外壁パネル支持構造１は、例えば住宅の外壁パネル２を支持する治具として好適に用いることができる。
【符号の説明】
【００４０】
１    外壁パネル支持構造
２    外壁パネル
３ａ  屋内面
４    枠体
４ａ  パネル固定枠
４ｄ  水平枠
５    固定部
５ａ  突片
５ｂ  スリット溝
６    パネル受け具
８    外壁パネル固定具
９    軸組（建物躯体）
９ａ、９ｂ  Ｃ型鋼
１０  受け部
１１  載置部
１２  挟持部
【図１】
2010275764.tif 000003
【図２】
2010275764.tif 000004
【図３】
2010275764.tif 000005
【図４】
2010275764.tif 000006
【図５】
2010275764.tif 000007
【図６】
2010275764.tif 000008
【図７】
2010275764.tif 000009
【図８】
2010275764.tif 000010
【図９】
2010275764.tif 000011